(57)【特許請求の範囲】
【請求項１】
バッテリを収容するバッテリ収容部が形成された筐体と、
前記バッテリ収容部を覆うカバー部材と、
を有し、
前記バッテリ収容部内には、前記バッテリが前記バッテリ収容部に収容されたときに、前記バッテリにより隠れる領域に第１のカード挿入部が、前記バッテリにより隠れない領域に第２のカード挿入部がそれぞれ設けられており、
前記第２のカード挿入部は、前記バッテリ収容部の内壁の一つに設けられ、前記バッテリとともに前記カバー部材により覆い隠され、
前記第１のカード挿入部は、前記第２のカード挿入部が設けられた前記内壁のうち、前記バッテリが前記バッテリ収容部に収容された状態にて前記バッテリの厚みにより隠れる領域に設けられている
携帯端末装置。
【請求項２】
前記第１のカード挿入部に連続し、前記第１のカード挿入部から挿入されたカードが装着される第１のカードホルダと、
前記第２のカード挿入部に連続し、前記第２のカード挿入部から挿入されたカードが装着される第２のカードホルダと、
一方の面に前記第１のカードホルダが実装され、他方の面に前記第２のカードホルダが実装された回路基板と、
を有する請求項１に記載の携帯端末装置。
【請求項３】
前記第２のカード挿入部には、カード挿入に対するガイドをなすガイド部が前記バッテリ収容部側に延長形成されており、
前記ガイド部は、前記バッテリ収容部に収容された前記バッテリに対して、前記カバー部材により覆われる側から係合可能な形状である
請求項２に記載の携帯端末装置。
【請求項４】
前記第２のカード挿入部が設けられた前記内壁から前記バッテリ収容部へ露出し、前記バッテリに対して弾性当接して前記バッテリから給電を受ける電池端子を有する
請求項３に記載の携帯端末装置。
【請求項５】
前記カバー部材は、当該カバー部材の内側面から突出し、前記バッテリの前記カバー部材側の面に当接可能であるとともに、前記カード挿入部に挿入された前記カードの前記バッテリ収容部側の端部に対して挿入方向に当接可能なリブを有する
請求項１から４のいずれか１項に記載の携帯端末装置。
【請求項６】
前記筐体は、前記第２のカード挿入部が設けられた前記内壁に係合部を有し、
前記カバー部材は、
当該カバー部材が前記筐体に取り付けられたときに前記係合部に係合し、当該カバー部材の弾性変形により当該カバー部材の内側へ位置するほど前記係合部に対する係合が弱くなるように構成された被係合部と、
前記被係合部が設けられた領域の当該カバー部材の外側面に形成された押圧目印部と、
を有し、
前記押圧目印部は、前記第２のカード挿入部に重畳しない位置に設けられている
請求項１から５のいずれか１項に記載の携帯端末装置。
【請求項７】
通信システムを介して他の携帯端末装置と通信を行う通信部と、
ユーザの操作を受け付ける操作部と、
を有し、
前記第１のカード挿入部に挿入されるカードは、前記通信部に参照される、当該カードに対応付けられた前記通信システムの加入者を特定可能な情報を記憶するカードであり、
前記第２のカード挿入部に挿入されるカードは、前記操作部への入力操作に応じて書き込み及び読み出しがなされるカードである
請求項１から６のいずれか１項に記載の携帯端末装置。
【発明の詳細な説明】
【技術分野】
【０００１】
本発明は、携帯電話機、ＰＤＡ（Ｐｅｒｓｏｎａｌ  Ｄｉｇｉｔａｌ  Ａｓｓｉｓｔａｎｔ）、デジタルカメラ、ゲーム機等の携帯端末装置に関する。
【背景技術】
【０００２】
ＩＣ（Ｉｎｔｅｇｒａｔｅｄ  Ｃｉｒｃｕｉｔ）カードを抜き差し可能な携帯端末装置が知られている。例えば、ＩＣカードを抜き差し可能な携帯電話機が知られている。携帯電話機に挿入されるＩＣカードには、例えば、ＳＩＭ（Ｓｕｂｓｃｒｉｂｅｒ  Ｉｄｅｎｔｉｔｙ  Ｍｏｄｕｌｅ）カード、ＵＩＭ（Ｕｎｉｖｅｒｓａｌ  Ｓｕｂｓｃｒｉｂｅｒ  Ｉｄｅｎｔｉｔｙ  Ｍｏｄｕｌｅ）カード、ＳＤカードがある。
【０００３】
ＳＩＭカードやＵＩＭカードは、同一の電話番号を使用しつつ、携帯電話機を交換可能としたり、複数の携帯電話機を利用可能としたりするためのものであり、電話番号を特定可能な情報を記憶している。このようなカードは、携帯電話機に電源が投入されている状態で抜き差しされることが好ましくないことから、バッテリを携帯電話機から取り外した状態でなければ抜き差しできないようにカードの挿入部（開口）が構成されていることが一般的である。例えば、特許文献１では、筐体のバッテリ収容部の内壁に、ＳＩＭカードを挿入するための挿入部を設けた携帯電話機が開示されている。
【０００４】
一方、ユーザの操作に応じて、楽曲データや画像データ等が適宜に書き込まれたり、読み出されたりするものとして、ＳＤカードなどのメモリーカードが知られている。このようなメモリーカードは、携帯電話機に電源が投入されている状態においても抜き差し可能であることが好ましいことから、上述のＳＩＭカードやＵＩＭカードとは異なり、筐体外部に挿入部が設けられることが一般的である。
【特許文献１】特開２００４−２２２１７０号公報
【発明の開示】
【発明が解決しようとする課題】
【０００５】
特許文献１では、バッテリがバッテリ収容部に収容されている状態で抜き差しされるカード（メモリーカード）の挿入部が、筐体外部に設けられていることから、種々の不都合が生じる。例えば、カードの挿入部が筐体外部に設けられている場合には、当該挿入部を隠して挿入部からの塵等の侵入を阻止するためのキャップが設けられることから、部品点数が多く、また、デザイン上の制約も生じる。特許文献１の携帯電話機は、ＳＩＭカードとメモリーカードとを積層的に装着可能に構成しているが、メモリーカードを筐体外部から挿入可能とするためには、ＳＩＭカードの挿入部までをも筐体外部の近くに配置する必要があり、設計の自由度が低い。メモリーカードの挿入部をＳＩＭカードの挿入部と同様に設けるとすれば、バッテリをバッテリ収容部から取り外さなければメモリーカードを抜き差しできないことになり、不便である。
【０００６】
本発明の目的は、バッテリをバッテリ収容部に収容した状態でカードを抜き差しできる好適な構造を有する携帯端末装置を提供することにある。
【課題を解決するための手段】
【０００７】
本発明の携帯端末装置は、バッテリを収容するバッテリ収容部が形成された筐体と、前記バッテリ収容部を覆うカバー部材と、を有し、前記バッテリ収容部内には、前記バッテリが前記バッテリ収容部に収容されたときに、前記バッテリにより隠れる領域に第１のカード挿入部が、前記バッテリにより隠れない領域に第２のカード挿入部がそれぞれ設けられており、前記第２のカード挿入部は、前記バッテリとともに前記カバー部材により覆い隠される。
【０００８】
好適には、前記第２のカード挿入部は、前記バッテリ収容部の内壁の一つに設けられている。
【０００９】
好適には、前記第１のカード挿入部は、前記第２のカード挿入部が設けられた前記内壁のうち、前記バッテリが前記バッテリ収容部に収容された状態にて前記バッテリの厚みにより隠れる領域に設けられている。
【００１０】
好適には、前記第１のカード挿入部に連続し、前記第１のカード挿入部から挿入されたカードが装着される第１のカードホルダと、前記第２のカード挿入部に連続し、前記第２のカード挿入部から挿入されたカードが装着される第２のカードホルダと、一方の面に前記第１のカードホルダが実装され、他方の面に前記第２のカードホルダが実装された回路基板と、を有する。
【００１１】
好適には、前記第２のカード挿入部には、カード挿入に対するガイドをなすガイド部が前記バッテリ収容部側に延長形成されており、前記ガイド部は、前記バッテリ収容部に収容された前記バッテリに対して、前記カバー部材により覆われる側から係合可能な形状である。
【００１２】
好適には、前記第２のカード挿入部が設けられた前記内壁から前記バッテリ収容部へ露出し、前記バッテリに対して弾性当接して前記バッテリから給電を受ける電池端子を有する。
【００１３】
好適には、前記カバー部材は、当該カバー部材の内側面から突出し、前記バッテリの前記カバー部材側の面に当接可能であるとともに、前記カード挿入部に挿入された前記カードの前記バッテリ収容部側の端部に対して挿入方向に当接可能なリブを有する。
【００１４】
好適には、前記筐体は、前記第２のカード挿入部が設けられた前記内壁に係合部を有し、前記カバー部材は、当該カバー部材が前記筐体に取り付けられたときに前記係合部に係合し、当該カバー部材の弾性変形により当該カバー部材の内側へ位置するほど前記係合部に対する係合が弱くなるように構成された被係合部と、前記被係合部が設けられた領域の当該カバー部材の外側面に形成された押圧目印部と、を有し、前記押圧目印部は、前記第２のカード挿入部に重畳しない位置に設けられている。
【００１５】
好適には、通信システムを介して他の携帯端末装置と通信を行う通信部と、ユーザの操作を受け付ける操作部と、を有し、前記第１のカード挿入部に挿入されるカードは、前記通信部に参照される、当該カードに対応付けられた前記通信システムの加入者を特定可能な情報を記憶するカードであり、前記第２のカード挿入部に挿入されるカードは、前記操作部への入力操作に応じて書き込み及び読み出しがなされるカードである。
【発明の効果】
【００１６】
本発明によれば、バッテリをバッテリ収容部に収容した状態でカードを抜き差しできる好適な構造の携帯端末装置が提供される。
【発明を実施するための最良の形態】
【００１７】
図１（ａ）は、本発明の実施形態に係る携帯端末装置としての携帯電話機１の外観を開状態で示す正面図である。図１（ｂ）は、携帯電話機１の外観を開状態で示す側面図である。図２は、携帯電話機１の外観を閉状態で示す背面図（図１（ａ）の紙面奥手側から、図１（ｂ）の紙面右側からの図）である。
【００１８】
携帯電話機１は、いわゆる２軸ヒンジを有する携帯電話機として構成されている。具体的には、携帯電話機１は、第１筐体３と、第２筐体５（図１（ａ）及び図１（ｂ））と、連結筐体７（図１（ａ）及び図１（ｂ））とを有しており、連結筐体７は、第１筐体３と第１回転軸Ａ（図１（ａ））回りに回転可能に連結されるとともに、第２筐体５と第２回転軸Ｂ（図１（ａ））回りに回転可能に連結されている。なお、第１筐体３、第２筐体５及び連結筐体７は、携帯電話機１全体の筐体を構成している。
【００１９】
第１筐体３及び第２筐体５は、例えば、概ね薄型直方体状に形成されており、長手方向の一端において連結されている。第１筐体３及び第２筐体５は、図２に示すように、閉状態において互いの輪郭が略一致するように形成されている。第１筐体３は、図１（ｂ）に示すように、連結筐体７とは反対側の第１領域部３ａと、連結筐体７側の、第１領域部３ａよりも厚い第２領域部３ｂと、第１領域部３ａと第２領域部３ｂとの境界部３ｃとを有している。
【００２０】
第１筐体３には、例えば、図１（ａ）に示すように、閉状態において第２筐体５と対向する面に、通話用のマイクロフォン８７（図１５参照）の収音孔９、ユーザの操作を受け付ける操作部１１が設けられている。また、第１筐体３には、例えば、図２に示すように、閉状態において第２筐体５の反対側となる背面３ｆに、着信の報知等を行うスピーカ８５（図１５参照）の放音孔１０、撮像部１２、携帯電話機１を充電するための充電端子１４が設けられている。なお、放音孔１０、撮像部１２及び充電端子１４は、第２領域部３ｂに設けられている。
【００２１】
第２筐体５には、例えば、図１（ａ）に示すように、通話用のスピーカ８３（図１５参照）の放音孔１３、図形や文字等を含む画像を表示するメイン表示部１５が設けられている。なお、第２筐体５の背面には、例えば、不図示のサブ表示部が設けられている。
【００２２】
図３及び図４を参照して、携帯電話機１におけるＳＩＭカード等のＩＣカードやメモリーカードの着脱方法の概要を説明する。
【００２３】
図３（ａ）は、閉状態の携帯電話機１を、一部の部材を取り外して、第１筐体３の背面側（図２と同様の方向）から見た斜視図である。
【００２４】
第１筐体３は、内部にバッテリ１７を着脱可能に構成されている。具体的には、第１筐体３は、バッテリ１７を収容するバッテリ収容部１９が設けられた筐体本体部２１（筐体の一例）と、バッテリ収容部１９を覆う、筐体本体部２１に着脱可能なカバー部材２３とを有している。
【００２５】
バッテリ収容部１９は、第１領域部３ａ及び境界部３ｃにおいて、背面側を凹とする凹状に形成されている。カバー部材２３は、バッテリ収容部１９に被せられ、第１筐体３の背面３ｆ（図２の紙面手前側の面。図３（ａ）では紙面上方側の面）のうち、第１領域部３ａ及び境界部３ｃにおける部分を構成する。なお、筐体本体部２１は、第２領域部３ｂにおける部分が、第１領域部３ａにおける部分よりも厚い。
【００２６】
図３（ｂ）は、図３（ａ）の一部拡大図である。具体的には、図３（ｂ）は、バッテリ収容部１９の内壁のうち、第２領域部３ｂ側の内壁２１ａ付近を示している。
【００２７】
内壁２１ａには、第１カードＣ１が挿入される第１カード挿入部２５、及び、第２カードＣ２が挿入される第２カード挿入部２７が設けられている。第２カード挿入部２７は、第１カード挿入部２５に対して、図３（ｂ）の紙面上方側（カバー部材２３により覆われる側）となる位置において開口している。
【００２８】
第１カードＣ１は、例えば、ＳＩＭカードやＵＩＭカードである。第１カードＣ１は、同一の電話番号を使用しつつ、携帯電話機を交換可能としたり、複数の携帯電話機を利用可能としたりするためのものであり、例えば、電話番号を特定可能な情報として、通信システムの事業者や加入者を特定する識別情報を記憶している。第１カードＣ１は、例えば概ね矩形状に形成されている。
【００２９】
第２カードＣ２は、例えば、ＳＤカードなどのメモリーカードである。メモリーカードは、ユーザの操作部１１に対する操作に応じて、楽曲や画像等の情報が適宜に書き込まれたり、読み出されたりするものである。第２カードＣ２は、例えば概ね矩形状に形成されている。
【００３０】
図４（ａ）は、図３（ａ）の状態から、バッテリ１７をバッテリ収容部１９に収容した状態を示す斜視図である。
【００３１】
バッテリ１７は、例えば、概ね薄型直方体状に形成されており、バッテリ収容部１９の平面形状は、バッテリ１７が嵌合する形状、すなわち、概ね矩形に形成されている。バッテリ収容部１９は、第１領域部３ａにおいて、バッテリ１７の厚さと同程度の深さになるように設けられている。従って、バッテリ１７の図４（ａ）の紙面上方側（カバー部材２３により覆われる側）の面は、筐体本体部２１の第１領域部３ａにおける図４（ａ）の紙面上方側の面と概ね面一になる。
【００３２】
図４（ｂ）は、図４（ａ）の内壁２１ａ付近を示す拡大図である。
【００３３】
上述のように、筐体本体部２１は、第２領域部３ｂにおける部分が、第１領域部３ａにおける部分よりも厚く、また、バッテリ１７及び筐体本体部２１の第１領域部３ａにおける部分は、図４（ｂ）の紙面上方側の面が概ね面一になるから、内壁２１ａは、バッテリ１７がバッテリ収容部１９に収容されても、図４（ｂ）の紙面上方側の領域が、バッテリ１７の厚みにより隠れず、露出する。すなわち、内壁２１ａは、バッテリ１７の厚みにより隠される被覆領域Ｓ１と、バッテリ１７の厚みにより隠されない露出領域Ｓ２（図３（ｂ））とを有する。
【００３４】
そして、図３（ｂ）及び図４（ｂ）に示すように、第１カード挿入部２５は被覆領域Ｓ１に設けられており、第２カード挿入部２７は露出領域Ｓ２に設けられている。従って、第１カードＣ１は、バッテリ１７をバッテリ収容部１９から取り外した状態でのみ、第１カード挿入部２５への抜き差しが許容され、その一方で、第２カードＣ２は、バッテリ１７をバッテリ収容部１９に収容した状態であっても第２カード挿入部２７への抜き差しが許容される。
【００３５】
ただし、第２カード挿入部２７は、バッテリ収容部１９の内壁２１ａに設けられていることから、カバー部材２３が筐体本体部２１に取り付けられると、バッテリ１７とともにカバー部材２３により覆い隠される（図２及び図１１参照）。
【００３６】
以下、上述の第１カードＣ１及び第２カードＣ２に係る携帯電話機１の内部構造等について詳述する。
【００３７】
図５は、第１筐体３を分解して閉状態の携帯電話機１を示す斜視図である。
【００３８】
第１筐体３においては、図５の紙面下方側（第１筐体３の正面側、閉状態において第２筐体５と対向する側）から、筐体本体部２１の正面側を構成するフロントケース２９、高周波回路等をシールドするシールドケース３１、回路基板により構成されたメイン基板３３、電子部品の保持等に利用されるフレーム部材３５、第１カードＣ１及び第２カードＣ２が装着されるサブ基板アセンブリ３７、筐体本体部２１の背面側を構成するリアケース３９、上述のバッテリ１７及びカバー部材２３が積層されている。
【００３９】
なお、第１筐体３においては、この他にも、シールドケース３１のフロントケース２９側の面に積層され、複数の押圧スイッチ等が設けられたＦＰＣ、ＦＰＣに被せられ、キートップ４１（図１）が固着されるキーシート等の部品が設けられている。
【００４０】
フロントケース２９及びリアケース３９は、例えば、それぞれ樹脂により一体成形されている。フロントケース２９及びリアケース３９は、例えば、一方（例えばリアケース３９）に形成された孔部に挿通された不図示のネジが他方（例えばフロントケース２９）に形成されたネジボスに螺合されることにより、互いに固定される。
【００４１】
互いに対向配置されたフロントケース２９及びリアケース３９が互いに固定されることにより、その間に配置される、キーシート、シールドケース３１、メイン基板３３等の各種の部品は、フロントケース２９及びリアケース３９に挟持され、フロントケース２９及びリアケース３９により構成される筐体本体部２１に対して固定される。
【００４２】
シールドケース３１は、金属により形成され、又は、樹脂表面に金属膜が設けられることにより形成されており、導電性を有している。シールドケース３１は、メイン基板３３のグランドラインに接続されている。シールドケース３１は、メイン基板３３側に突出し、メイン基板３３に当接するリブを有している。当該リブは、メイン基板３３を区画するように縦横に延びている。
【００４３】
メイン基板３３は、例えば、硬質の樹脂をベースとしたいわゆるリジッド基板により構成されている。メイン基板３３は、例えば、第１領域部３ａ及び第２領域部３ｂに亘る広さを有している。メイン基板３３には、例えば、バッテリ１７から給電を受ける電池端子４３や電波を利用した無線通信を行うための不図示の高周波回路等が設けられている。
【００４４】
電池端子４３は、端子筐体４３ａと、端子筐体４３ａから突出する接触子４３ｂ（図１３参照）とを有している。接触子４３ｂは、端子筐体４３ａ内に設けられた不図示の付勢部材（例えばバネ）により突出方向に付勢されている。電池端子４３は、携帯電話機１が組み立てられると、接触子４３ｂが突出する側が、内壁２１ａに設けられた端子用開口４４（図１３参照）から露出する。そして、バッテリ１７がバッテリ収容部１９に収容されると、接触子４３ｂはバッテリ１７の内壁２１ａ側の端面に設けられた不図示の給電端子に弾性当接する。なお、端子用開口４４は、内壁２１ａのメイン基板３３側の縁部に切り欠きが形成されることにより設けられ、また、第１カード挿入部２５及び第２カード挿入部２７に隣接している。
【００４５】
上述のバッテリ収容部１９は、内壁（内壁２１ａを含む）がリアケース３９により構成されている。従って、第１カード挿入部２５及び第２カード挿入部２７も、リアケース３９に設けられている。リアケース３９には、バッテリ収容部１９が形成される部分に抜け穴２１ｈが形成されており、メイン基板３３は、抜け穴２１ｈから筐体本体部２１の背面側に露出し、バッテリ収容部１９の底面を構成する。なお、メイン基板３３の、抜け穴２１ｈから露出する部分には、絶縁性のシール等が貼り付けられてもよい。
【００４６】
図６（ａ）は、フレーム部材３５を第１筐体３の背面３ｆ側（カバー部材２３に覆われる側）から見た斜視図、図６（ｂ）は、フレーム部材３５をメイン基板３３側から見た斜視図である。
【００４７】
フレーム部材３５は、例えば、樹脂により一体成形されている。フレーム部材３５は、例えば、全体として概ね薄型の部材に形成され、サブ基板アセンブリ３７を背面３ｆ側に保持する第１保持部３５ａ、着信の報知等を行うスピーカ８５（図１５参照）を背面３ｆ側に保持する第２保持部３５ｂ、第１筐体３内の電子回路と第２筐体５内の電子回路とを接続する不図示のケーブル等を位置決めする位置決め部３５ｄ等を有している。
【００４８】
第１保持部３５ａは、例えば、図６（ａ）に示すように、板状の基部３５ｅの周囲に側壁部３５ｆが設けられて構成されており、サブ基板アセンブリ３７側に凹部３５ｇが形成されている。凹部３５ｇの平面形状は、例えば矩形である。
【００４９】
フレーム部材３５には、ネジ４５（図１３参照）が挿通される孔部３５ｈが形成されている。ネジ４５は、孔部３５ｈ、メイン基板３３に形成された孔部３３ｈ（図５）に挿通され、シールドケース３１に形成された雌ネジ部３１ｈ（図５）に螺合される。これより、フレーム部材３５は、メイン基板３３と固定される。なお、フレーム部材３５とメイン基板３３との間には、メイン基板３３に実装された電子部品の配置空間が形成される（図１１参照）。
【００５０】
図７は、サブ基板アセンブリ３７を背面３ｆ側（カバー部材２３に覆われる側）から見た斜視図である。
【００５１】
サブ基板アセンブリ３７は、サブ基板４７と、第１カードＣ１が装着される第１カードホルダ４９と、第２カードＣ２が装着される第２カードホルダ５１とを有している。第１カードホルダ４９は、サブ基板４７の一方の面（図７の紙面下方側の面、フレーム部材３５側の面）に実装され、第２カードホルダ５１は、サブ基板４７の他方の面（図７の紙面上方側の面、リアケース３９側の面）に実装されている。なお、サブ基板アセンブリ３７は、この他にも、サブ基板４７に実装される、撮像部１２を駆動するＩＣ等の適宜な部品を有している。
【００５２】
サブ基板４７は、例えば、硬質の樹脂をベースとしたいわゆるリジッド基板により構成されている。第１カードホルダ４９及び第２カードホルダ５１は、例えば金属により外形が形成されている。第１カードホルダ４９には、第１カードＣ１を収容可能な空間が形成されており、当該空間内には、第１カードＣ１とサブ基板４７とを接続する不図示の端子が設けられている。同様に、第２カードホルダ５１には、第２カードＣ２を収容可能な空間が形成されており、当該空間内には、第２カードＣ２とサブ基板４７とを接続する不図示の端子が設けられている。
【００５３】
第２カードホルダ５１は、いわゆるＰｕｓｈ−Ｐｕｓｈ方式により第２カードＣ２を抜き差しするように構成されている。すなわち、第２カードＣ２の挿入時においては、第２カードＣ２は、一定位置よりも奥へ挿入されることにより、第２カードホルダ５１内にロックされ、第２カードホルダ５１からの抜けが防止される。第２カードＣ２の引抜時には、第２カードＣ２は、一定位置よりも奥へ再度押し込まれることにより、ロックが解除されて引抜が可能となり、また、ばね等の付勢力により、第２カードホルダ５１から所定量突出する。従って、第２カードＣ２は、第２カードホルダ５１に装着された状態で、第２カード挿入部２７から突出している必要がある。第１カードＣ１を第１カードホルダ４９に対して抜き差しする方法については後述する。
【００５４】
サブ基板アセンブリ３７は、第１カードホルダ４９がフレーム部材３５の第１保持部３５ａに形成された凹部３５ｇに嵌合することにより位置決めされる。この際、サブ基板４７は、第１保持部３５ａの側壁部３５ｆに載置（積層）される。そして、フロントケース２９とリアケース３９とが固定されると、サブ基板４７が側壁部３５ｆとリアケース３９とに挟持され、サブ基板アセンブリ３７は第１筐体３に対して固定される。
【００５５】
図８は、カバー部材２３の内側面を示す斜視図である。
【００５６】
カバー部材２３は、例えば、樹脂により一体成形されている。カバー部材２３は、全体として概ね板状に形成されている。具体的には、カバー部材２３は、第１領域部３ａの背面を構成する平板状の平板部２３ａと、境界部３ｃの背面を構成し、平板部２３ａに対して傾斜する傾斜部２３ｂと、第１筐体３の第１領域部３ａ側の端部背面を構成する曲面状の曲面部２３ｃとを有している。
【００５７】
平板部２３ａの内側面には、カバー部材２３を筐体本体部２１に対して、筐体本体部２１の長手方向（図８の紙面左右方向、第２カードＣ２の挿入方向と同一方向）に案内するための被ガイド部２３ｄが設けられている。被ガイド部２３ｄは、例えば、平板部２３ａの側方側において平板部２３ａの縁部に沿う壁状に形成されており、筐体本体部２１に設けられた不図示のガイド溝に挿入される。これにより、カバー部材２３は、筐体本体部２１の短手方向において位置決めされ、筐体本体部２１の長手方向に案内される。
【００５８】
カバー部材２３には、カバー部材２３を筐体本体部２１に対して筐体本体部２１の長手方向にスライドさせたときに、筐体本体部２１に係合する複数の被係合部が適宜な位置に適宜な形状で設けられている。例えば、曲面部２３ｃには、カバー部材２３のスライド方向に突出する端部側被係合部２３ｅが設けられている。端部側被係合部２３ｅは、筐体本体部２１に設けられた係合穴２１ｅ（図４（ａ））に挿入されて、筐体本体部２１に対して背面側（図４（ａ）の紙面上方側、図８の紙面下方側）へ係合し、カバー部材２３の筐体本体部２１に対する背面側への離間を阻止する。また、例えば、被ガイド部２３ｄの側面には、カバー部材２３の筐体本体部２１に対する背面側への離間を阻止するＬ字状の側方側被係合部２３ｆが複数設けられている。
【００５９】
図９は、カバー部材２３の傾斜部２３ｂ付近を内側から示す斜視図である。図１０は、筐体本体部２１の内壁２１ａ付近及びカバー部材２３の傾斜部２３ｂ付近を外側から示す斜視図である。
【００６０】
傾斜部２３ｂには、上述の端部側被係合部２３ｅ等と同様に、カバー部材２３を筐体本体部２１に対して筐体本体部２１の長手方向にスライドさせたときに、筐体本体部２１に係合する内壁側被係合部２３ｇと、スライド被係合部２３ｊとが設けられている。
【００６１】
内壁側被係合部２３ｇは、傾斜部２３ｂから図９及び図１０の紙面上方側（第２領域部３ｂ側）へ突出して形成されており、図１０に示すように、内壁２１ａに形成された係合穴２１ｇに挿入される。これにより、カバー部材２３の筐体本体部２１に対する背面側への離間は阻止される。
【００６２】
スライド被係合部２３ｊは、傾斜部２３ｂから図９及び図１０の紙面上方側へ延出する延出部２３ｍと、延出部２３ｍからカバー部材２３の外側面側（図９の紙面奥手側、図１０の紙面手前側）に突出する係合突部２３ｎとを有している。一方、内壁２１ａには、図１０に示すように、スライド被係合部２３ｊが挿入される係合穴２１ｊが形成されている。係合穴２１ｊの、図１０の紙面上方側の開口縁部２１ｎは、特に図示しないが、筐体本体部２１の内側面から係合穴２１ｊの中心方向へ突出している。
【００６３】
従って、カバー部材２３を筐体本体部２１に対して図１０の紙面上方側へスライドさせると、延出部２３ｍや傾斜部２３ｂの延出部２３ｍの根元部分（スライド被係合部２３ｊが設けられた領域）等が弾性変形することにより、係合突部２３ｎは、開口縁部２１ｎを乗り越え、開口縁部２１ｎに対して内壁２１ａの内側（図１０の紙面上方側）から外側（図１０の紙面下方側）へ係合する。これにより、カバー部材２３の筐体本体部２１に対する取り外し方向（図１０の紙面下方側への方向）のスライドが禁止される。
【００６４】
また、カバー部材２３を筐体本体部２１から取り外すときには、傾斜部２３ｂの、延出部２３ｍの根元部分をカバー部材２３の外側面側から内側面側へ押圧することにより、傾斜部２３ｂが弾性変形し、係合突部２３ｎの開口縁部２１ｎに対する係合が弱まり、カバー部材２３を筐体本体部２１に対する取り外し方向へスライドさせることができる。
【００６５】
図１０に示すように、カバー部材２３の外側面には、延出部２３ｍの根元部分、すなわち、押圧によりスライド被係合部の筐体本体部２１に対する係合を弱めることができる部分に、ユーザの押圧操作を促すための押圧目印部２３ｋが設けられている。押圧目印部２３ｋは、例えば、カバー部材２３と一体成形された突部により形成されている。
【００６６】
係合穴２１ｊ、スライド被係合部２３ｊ及び押圧目印部２３ｋは、筐体本体部２１の背面側（カバー部材２３に覆われる側）から見て、第２カード挿入部２７と重畳しない位置に設けられている。
【００６７】
図１０は、第１カード挿入部２５及び第２カード挿入部２７も拡大して示している。第１カード挿入部２５は、第１カードＣ１を、筐体本体部２１の背面（カバー部材２３により覆われる側の面、図１０の紙面手前側の面）に面するように筐体本体部２１に挿入可能に、図１０の紙面左右方向（筐体本体部２１の背面及び内壁２１ａに沿う方向）を長手方向とするスリット状に開口している。同様に、第２カード挿入部２７は、第２カードＣ２を、筐体本体部２１の背面に面するように筐体本体部２１に挿入可能に、図１０の紙面左右方向を長手方向とするスリット状に開口している。
【００６８】
第２カード挿入部２７には、第２カードＣ２のカード挿入に対するガイドをなすガイド部２７ａが、バッテリ収容部１９側（図１０の紙面下方側）へ延長形成されている（図１３も参照）。ガイド部２７ａは、第２カードＣ２の挿入方向に見て、カバー部材２３に覆われる側が開放された矩形状（Ｕ字状）に形成されており、第２カードＣ２の縁部に当接して第２カードＣ２をガイドする２つの側方ガイド部２７ｂと、第２カードＣ２のカバー部材２３とは反対側に当接して第２カードＣ２をガイドする内側ガイド部２７ｃとを有している。
【００６９】
図１１は、図１０のＸＩ−ＸＩ線における携帯電話機１の断面を示す斜視図である。図１２（ａ）は、図１１と概ね同一の断面を示す断面図である。図１２（ｂ）は、図１０のＸＩＩｂ−ＸＩＩｂ線における携帯電話機１の断面図である。
【００７０】
上述のように、第１領域部３ａにおいては、メイン基板３３上に、バッテリ１７及びカバー部材２３が順に積層されている。また、第２領域部３ｂにおいては、メイン基板３３上に、フレーム部材３５、第１カードホルダ４９、サブ基板４７、第２カードホルダ５１及びリアケース３９が順に積層され、第１カードホルダ４９には第１カードＣ１が、第２カードホルダ５１には第２カードＣ２が装着されている。
【００７１】
第１カードホルダ４９は、第１カード挿入部２５に連続しており、第１カードＣ１は、第１カード挿入部２５から挿入されて第１カードホルダ４９に装着される。同様に、第２カードホルダ５１は、第２カード挿入部２７に連続しており、第２カードＣ２は、第２カード挿入部２７から挿入されて第２カードホルダ５１に装着される。
【００７２】
上述のように、第２カードホルダ５１は、Ｐｕｓｈ−Ｐｕｓｈ式のホルダであることから、第２カード挿入部２７及び第２カードホルダ５１は、第２カードＣ２が第２カードホルダ５１に装着された状態において第２カードＣ２の端部が内壁２１ａからバッテリ収容部１９側へ突出するように配置されている。ただし、第２カードＣ２の端部は、ガイド部２７ａよりはバッテリ収容部１９側へ突出しておらず、カバー部材２３側の面のみが露出している。
【００７３】
バッテリ１７は、バッテリ収容部１９に収容されると、内壁２１ａ側の端部が、メイン基板３３とガイド部２７ａとの間に嵌合する。換言すれば、ガイド部２７ａは、バッテリ１７に対して、カバー部材２３に覆われる側から係合可能である。
【００７４】
筐体本体部２１及びカバー部材２３には、内壁２１ａ付近において携帯電話機１の強度を向上させるためのリブ等が設けられている。具体的には、以下のとおりである。
【００７５】
図１１、図１２（ａ）及び図１２（ｂ）に示すように、傾斜部２３ｂの内側面には、筐体内部側へ突出するリブ５３が設けられている。リブ５３は、バッテリ１７のカバー部材２３側の面に当接可能なバッテリ当接リブ５３ａと、内側ガイド部２７ｃのカバー部材２３に覆われる側に当接可能なガイド当接リブ５３ｂとを有している。従って、カバー部材２３の、内壁２１ａ側の端部に外力Ｆ１（図１１及び図１２（ｂ））が加えられると、その荷重は、リブ５３を介して、内側ガイド部２７ｃ及びバッテリ１７に支持される。
【００７６】
図９に示すように、バッテリ当接リブ５３ａは、例えば、カバー部材２３の内壁２１ａ側の端部に沿う方向にカバー部材２３を横断する直線状部分と、その直線状部分よりも内壁２１ａ側において矩形状に延びる部分とを有している。また、ガイド当接リブ５３ｂは、例えば、バッテリ当接リブ５３ａよりも内壁２１ａ側において矩形状に延びている。
【００７７】
図１１、図１２（ａ）及び図１２（ｂ）に示すように、ガイド当接リブ５３ｂは、第２カード挿入部２７に挿入された第２カードＣ２のバッテリ収容部１９側の端部に対して、挿入方向に当接可能に設けられている。なお、ここでいうガイド当接リブ５３ｂが当接可能な、第２カード挿入部２７に挿入された第２カードＣ２は、第２カードホルダ５１に装着された状態のものであってもよいし、第２カードホルダ５１に完全に装着されておらず、第２カード挿入部２７に少なくとも一部が挿入された状態のものであってもよく、好ましくは、第２カードホルダ５１に装着された状態のものである。
【００７８】
また、図１２（ｂ）に示すように、２つの側方ガイド部２７ｂは、カバー部材２３の内側面に当接可能である。従って、カバー部材２３の、内壁２１ａ側の端部に外力Ｆ１（図１１及び図１２（ｂ））が加えられると、その荷重は、２つの側方ガイド部２７ｂに支持される。すなわち、カバー部材２３は、第２カード挿入部２７の長手方向両端においてガイド部２７ａに支持される。
【００７９】
図９、図１０、図１１及び図１２（ａ）に示すように、カバー部材２３には、カバー部材２３の、内壁２１ａに突き当てられる端部から突出するカバー側延在部５５が設けられている。カバー側延在部５５は、図１１及び図１２（ａ）に示すように、第２カード挿入部２７に入り込み、筐体本体部２１の背面部（第２カードＣ２を覆う部分）の内側面に当接する。従って、筐体本体部２１の背面の内壁２１ａ付近に外力Ｆ２が加えられると、その荷重は、カバー側延在部５５を介してカバー部材２３に支持される。
【００８０】
図１０及び図１２（ｂ）に示すように、筐体本体部２１には、内壁２１ａから突出する筐体側延在部５７（図１３も参照）が設けられている。筐体側延在部５７は、カバー部材２３の内壁２１ａに突き当てられる端部の内側面に当接する。従って、図１２（ｂ）に示すように、カバー部材２３の背面の内壁２１ａ付近に外力Ｆ１が加えられると、その荷重は、筐体側延在部５７を介して筐体本体部２１に支持され、第２カードホルダ５１の方向等へ分散される。
【００８１】
なお、図１０に示すように、カバー側延在部５５は、例えば、カバー部材２３が筐体本体部２１に取り付けられたときに第２カード挿入部２７の長手方向の概ね中央に位置するように設けられており、筐体側延在部５７は、例えば、第２カード挿入部２７の長手方向の両端（カバー側延在部５５の両側）に設けられている。また、図１１、図１２（ａ）及び図１２（ｂ）に示すように、第２カードＣ２は、第２カード挿入部２７のカバー部材２３側の紙面上方側の開口縁部からバッテリ収容部１９側に突出していることから、カバー側延在部５５及び筐体側延在部５７は、第２カードＣ２のバッテリ収容部１９側の端部に重畳している。
【００８２】
リブ５３は、外力Ｆ１や外力Ｆ２が加えられていない状態においてガイド部２７ａやバッテリ１７に当接していてもよいし、外力Ｆ１や外力Ｆ２が加えられたときに、第１筐体３の弾性変形により当接するように、比較的微小なクリアランスでガイド部２７ａやバッテリ１７に近接していてもよい。ただし、クリアランスを設ける場合には、リブ５３と、ガイド部２７ａやバッテリ１７とのクリアランスは、第２カードＣ２の内壁２１ａから突出した端部と、カバー部材２３の内壁２１ａに突き当てられた端部とのクリアランスよりも小さく設定される。
【００８３】
図１２（ａ）及び図１２（ｂ）に示すように、第２カードホルダ５１も外力Ｆ１及び外力Ｆ２を受けて第２カードＣ２を保護するのに寄与する。第２カードホルダ５１は、外力Ｆ１や外力Ｆ２が加えられていない状態において筐体本体部２１に当接していてもよいし、外力Ｆ１や外力Ｆ２が加えられたときに、筐体本体部２１の弾性変形により当接するように、比較的微小なクリアランスで筐体本体部２１に近接していてもよい。なお、クリアランスを設ける場合には、ただし、クリアランスを設ける場合には、第２カードホルダ５１と筐体本体部２１とのクリアランスは、第２カードＣ２の内壁２１ａから突出した端部と、筐体本体部２１（若しくはカバー部材２３の内壁２１ａに突き当てられた端部）とのクリアランスよりも小さく設定される。
【００８４】
図１３は、内壁２１ａ付近を、バッテリ収容部１９からバッテリ１７を取り外して示す斜視図である。図１４は、図１３のＸＩＶ−ＸＩＶ線における断面図である。なお、図１３においてサブ基板アセンブリ３７を省略するなど、各図では、適宜に部品が省略されている。
【００８５】
携帯電話機１は、第１カードＣ１を第１カード挿入部２５内へ搬送するためのスライド部材５９を有している。第１カードＣ１は、スライド部材５９のカバー部材２３側（図１３及び図１４の紙面上方側）の面に載置され、スライド部材５９とともに、第１カード挿入部２５を介して第１カードホルダ４９へ挿入される。
【００８６】
スライド部材５９は、全体として概ね板状に形成されており、また、第１カード挿入部２５及び第１カードホルダ４９内へ挿入可能な大きさに形成されている。図１３に示すように、スライド部材５９の側方縁部からは、第１カードホルダ４９の側面に形成された規制溝４９ａ（図７）に挿入される被規制部５９ａが突出している。規制溝４９ａは、第１カードＣ１の挿入方向に延びている。スライド部材５９は、携帯電話機１の組み立て時において、切欠き部５９ｂ（図１３）を小さくするように弾性変形された状態で、第１カード挿入部２５から第１カードホルダ４９に挿入されることにより、被規制部５９ａが規制溝４９ａに挿入される。これにより、スライド部材５９の可動範囲は、被規制部５９ａが規制溝４９ａ内を移動可能な範囲に規制され、スライド部材５９の脱落等が防止される。
【００８７】
なお、図７に示すように、規制溝４９ａの幅は、中央部においてサブ基板４７とは反対側へ広くなっている。従って、スライド部材５９は、引出限及び差込限においてはサブ基板４７側に位置するとともに上下方向（スライド方向に直交する方向）の余裕量が小さくなり、その中間においてはサブ基板４７から離間可能となる。その結果、スライド部材５９に第１カードＣ１を載置するとき（引出限）においては、スライド部材５９のガタツキが抑制されて第１カードＣ１を載置しやすい。スライド部材５９を抜き差しする中途（引出限と差込限との間）においては、第１カードＣ１とサブ基板４７との摩擦を低減し、挿入の容易化や第１カードＣ１の保護が図られる。そして、差込限においては、スライド部材５９のガタツキが抑制されて第１カードＣ１が端子に確実に接触する。なお、ＳＩＭカードやＵＩＭカードは、カードの一面（例えばサブ基板４７側の面）に平面状の端子が設けられている。
【００８８】
図１３及び図１４に示すように、スライド部材５９には、スライド部材の引き抜きを容易にするための被操作部５９ｃが設けられている。被操作部５９ｃは、スライド部材５９の板状部のバッテリ収容部１９側の縁部に設けられ、板状部からカバー部材２３側に突出しており、ユーザが爪や指先を掛けることができるようになっている。
【００８９】
フレーム部材３５は、第１カード挿入部２５を利用して携帯電話機１の強度を向上させる構造を有している。具体的には以下のとおりである。
【００９０】
図１３及び図１４に示すように、フレーム部材３５の第１カード挿入部２５側の端部には、第１カード挿入部２５に挿入されて内壁２１ａに係合する係合部３５ｃが設けられている。係合部３５ｃは、例えば、図１３に示すように、第１カード挿入部２５の長手方向の筐体中央に近い端部（本実施形態では電池端子４３側の端部）において、第１カード挿入部２５に挿入されている。係合部３５ｃは、例えば、第１カード挿入部２５の開口縁部のうち図１３の紙面下方側（メイン基板３３側、カバー部材２３とは反対側）の部分に対して係合している。係合部３５ｃは、例えば、メイン基板３３側ほどバッテリ収容部１９側へ突出する直角三角形状に形成されている。
【００９１】
フレーム部材３５は、内壁２１ａに係合することにより、リアケース３９に対する離間が抑制される。メイン基板３３は、ネジ４５によりフレーム部材３５（図６の孔部３５ｈ）に固定されていることから、メイン基板３３もリアケース３９からの離間が抑制される。なお、図１３に示すように、係合部３５ｃ及び孔部３５ｈは、平面視において互いに隣接して配置されている。
【００９２】
なお、上述したスライド部材５９の被操作部５９ｃは、スライド部材５９のスライド方向において、係合部３５ｃに重複する位置に設けられている。従って、スライド部材５９が差込限に移動すると、係合部３５ｃは被操作部５９ｃによって隠れる。
【００９３】
図１５は、携帯電話機１の信号処理系の構成を示すブロック図である。
【００９４】
携帯電話機１は、ＣＰＵ７１、メモリ７３、通信処理部７５、音響処理部７７及び画像処理部７９を備えている。これら各部は例えばメイン基板３３に設けられたＩＣにより構成されている。
【００９５】
ＣＰＵ７１及びメモリ７３は、操作部１１等の各種手段からの信号に基づいて所定の演算を行い、画像処理部７９等の各種手段の制御を実行する制御部として機能する。
【００９６】
通信処理部７５は、高周波回路を含んで構成されている。通信処理部７５は、電波を利用した無線通信により、通信システム（電話網やインターネット）を介した他の携帯端末装置やサーバとの通信を行うために、ＣＰＵ７１で処理された音響データ、画像データ等の各種データを変調して、アンテナ８１を介して送信する。また、通信処理部７５は、アンテナ８１を介して受信した信号を復調してＣＰＵ７１に出力する。
【００９７】
通信処理部７５により、電話網を介して通信が行われる際には、第１カードＣ１に記憶されている情報が読み出されて使用される。すなわち、ＣＰＵ７１は、第１カードＣ１に記憶されている、第１カードＣ１に対応付けられた電話番号を特定可能な情報を読み出し、読み出した情報に基づいて受信する信号を選別したり、送信する信号に送信元（第１カードＣ１に対応付けられた電話番号）を特定可能な情報を含ませる。なお、電話番号は、基本的には電話網の加入者に対応付けられており、電話番号を特定可能な情報は、加入者を特定可能な情報と捉えることができる。
【００９８】
音響処理部７７は、ＣＰＵ７１からの音響データを電気信号に変換して通話用のスピーカ８３、着信等を報知するためのスピーカ８５に出力する。スピーカ８３及びスピーカ８５は、音響処理部７７からの電気信号を音響に変換して出力する。一方、マイクロフォン８７は、入力された音響を電気信号に変換して音響処理部７７に出力する。音響処理部７７は、マイクロフォン８７からの電気信号を音響データに変換してＣＰＵ７１に出力する。
【００９９】
画像処理部７９は、ＣＰＵ７１からの画像データを画像信号に変換してメイン表示部１５等の表示部へ出力する。また、所定のカメラモジュール８９から出力される撮像信号（画像データ）を所定のフォーマットの画像データに変換してＣＰＵ７１へ出力する。
【０１００】
第２カードＣ２には、ユーザの操作部１１に対する操作に応じて、適宜に情報が書き込まれるとともに、適宜に情報が読み出される。例えば、第２カードＣ２には、通信処理部７５を介してダウンロードされた楽曲データや画像データ、カメラモジュール８９の撮像により生成された画像データが記録される。また、例えば、ＣＰＵ７１は、第２カードＣ２に記録された楽曲データを読み出して音響処理部７７に出力したり、第２カードＣ２に記録された画像データを読み出して画像処理部７９に出力する。
【０１０１】
以上の実施形態によれば、第１の観点から、以下の効果が得られる。
【０１０２】
携帯電話機１は、バッテリ１７を収容するバッテリ収容部１９が形成された筐体本体部２１と、バッテリ収容部１９を覆うカバー部材２３とを有し、バッテリ収容部１９の内壁の一つである内壁２１ａには、バッテリ１７がバッテリ収容部１９に納められたときにバッテリ１７の厚みにより隠れない領域であり、且つ、カバー部材２３により覆い隠される領域Ｓ２に第２カード挿入部２７が設けられており、第２カード挿入部２７に第２カードＣ２を挿入した状態で、カバー部材２３をバッテリ収容部１９に取り付け可能であることから、バッテリ１７をバッテリ収容部１９に収容したままで、換言すれば、携帯電話機１に電源を投入したままで、第２カードＣ２は出し入れ可能であるとともに、バッテリ１７を被覆するカバー部材２３を第２カード挿入部２７の被覆にも兼用できる。その結果、例えば、第２カードＣ２挿入部専用にキャップを設けることが不要となるため、外観上のデザイン性が向上するとともに部品点数が削減される。
【０１０３】
第２カード挿入部２７には、カード挿入に対するガイドをなすガイド部２７ａがバッテリ収容部１９側へ延長形成されており、カバー部材２３は、第２カード挿入部２７に入り込み、筐体本体部２１の第２カードＣ２を覆う部分（背面部）を第２カードＣ２側から支持可能なカバー側延在部５５を有し、ガイド部２７ａは、カバー部材２３の被覆方向において第２カードＣ２に重畳しない部分によりカバー部材２３をバッテリ収容部１９の内部側から支持可能に構成されていることから、図１２（ａ）に示すように、筐体本体部２１の第２カードＣ２を覆う部分に加えられた外力Ｆ２は、カバー側延在部５５を介してカバー部材２３へ伝達され、さらには、ガイド部２７ａの第２カードＣ２に重畳しない部分に伝達される。その結果、第２カードＣ２へは外力Ｆ２が伝わりにくく、第２カードＣ２の破損が抑制される。特に、第２カードＣ２は、第２カードホルダ５１に装着されている状態において、第２カードホルダ５１からバッテリ収容部１９側へ端部が突出していることから、筐体本体部２１の背面部のうち、カバー部材２３側の部分が押圧されると、第２カードＣ２は、筐体本体部２１の背面部により直接的に押圧され、折れてしまうおそれがあるところ、そのような破損が効果的に抑制される。
【０１０４】
また、当然に、カバー部材２３に外力Ｆ１（図１２（ｂ））が加えられたときにも、ガイド部２７ａによりカバー部材２３が支持されることにより、第２カードＣ２の保護が図られる。
【０１０５】
図１６は、本実施形態の効果を説明するための比較例を示す断面図である。比較例の携帯端末装置では、カバー部材１２３は、ガイド部２７ａによって支持されていない。一方、第２カードＣ２は、本実施形態と同様に、第２カードホルダ５１に装着された状態で端部が内壁から突出しており、当該端部には、カバー部材１２３の端部が重畳している。従って、カバー部材１２３の端部に外力Ｆ１が加えられると、カバー部材１２３が図１６の紙面下方側に撓んで第２カードＣ２の端部に当接し、第２カードＣ２が破損してしまうおそれがある。
【０１０６】
しかし、図１２（ｂ）に示すように、本実施形態では、カバー部材２３に外力Ｆ１が加えられても、カバー部材２３はガイド部２７ａに支持されるから、第２カードＣ２の破損は抑制される。
【０１０７】
また、カバー部材２３の撓みが抑制されることから、軋み音が抑制される。カバー側延在部５５により、内壁２１ａとカバー部材２３との間の防水性が向上する。カバー側延在部５５により、筐体外部側から内部側への沿面距離が長くなることから、内壁２１ａからカバー部材２３との間から静電気が侵入することが抑制される。
【０１０８】
第２カード挿入部２７は、第２カードＣ２が装着されたときに、第２カード挿入部２７が設けられた内壁２１ａからバッテリ収容部１９側へ第２カードＣ２の端部が突出するように構成され、カバー部材２３は、第２カード挿入部２７が設けられた内壁２１ａに端部が突き当てられ、当該端部が第２カードＣ２の端部に重畳するように筐体本体部２１に取り付けられ、筐体本体部２１は、第２カード挿入部２７が設けられた内壁２１ａからバッテリ収容部１９側に延在し、内壁２１ａに突き当てられたカバー部材２３の端部を支持可能な筐体側延在部５７を有することから、カバー部材２３に外力が加えられたときにも第２カードＣ２は保護される。
【０１０９】
すなわち、図１６を参照して説明したように、カバー部材１２３の端部に外力Ｆ１が加えられると第２カードＣ２が破損してしまうおそれがあるところ、図１２（ｂ）に示すように、本実施形態では、カバー部材２３の端部が筐体側延在部５７により支持されるから、カバー部材２３の撓みが抑制されて、第２カードＣ２が保護される。また、筐体側延在部５７は、上述のカバー側延在部５５と同様に、防水性の向上、静電気の侵入の抑制等の効果を奏する。
【０１１０】
第２カード挿入部２７は、カバー部材２３に沿う方向を長手方向として開口しており、ガイド部２７ａは、第２カード挿入部２７の長手方向の両端にてカバー部材２３を支持可能に構成されていることから、外力Ｆ２が加えられた筐体本体部２１を支持するカバー側延在部５５は、ガイド部２７ａによって両端支持されることになる。従って、確実に外力Ｆ２を第２カードＣ２に重畳しない位置へ分散させることができ、第２カードＣ２の保護が図られる。
【０１１１】
ガイド部２７ａは、バッテリ収容部１９に収容されたバッテリ１７に対してカバー部材２３に覆われる側から当接可能に構成されていることから、ガイド部２７ａは、第２カードＣ２のガイド及びカバー部材２３の支持だけでなく、バッテリ１７の押さえも兼ねることになる。また、外力Ｆ１や外力Ｆ２が加えられたときには、筐体本体部２１の背面やカバー部材２３を支持するガイド部２７ａが、バッテリ１７に支持されることになるから、携帯電話機１の強度が向上する。その結果、携帯電話機１の小型化及び強度向上が一層図られる。
【０１１２】
カバー部材２３は、カバー部材２３の内側面から突出し、バッテリ１７のカバー部材２３側の面に当接可能であるとともに、第２カード挿入部２７に挿入された第２カードＣ２のバッテリ収容部１９側の端部に挿入方向に当接可能なリブ５３を有することから、図１２（ａ）及び図１２（ｂ）に示すように、筐体本体部２１に加えられた外力Ｆ２やカバー部材２３に加えられた外力Ｆ１をバッテリ１７に逃がすことができるとともに、第２カードＣ２の抜けを防止できる（第２カードＣ２の第２カード挿入部２７からの突出量を抑制できる。）。また、カバー部材２３を筐体本体部２１に取り付けるときに、第２カードＣ２が第２カードホルダ５１に完全に装着されておらず、第２カードＣ２の第２カード挿入部からの突出量が大きくなっていても、カバー部材２３の内壁２１ａ側へのスライドにより第２カードＣ２がリブ５３により押し込まれ、第２カードＣ２の第２カード挿入部２７からの突出量が縮小される。第２カードＣ２の第２カード挿入部２７からの突出量が一定以下に抑えられることにより、第２カードＣ２のバッテリ収容部１９側の端部が、カバー部材２３の傾斜部２３ｂの低いところや平板部２３ａに当接して筐体外部から荷重が加えられることが防止され、第２カードＣ２の破損が防止される。
【０１１３】
筐体本体部２１は、第２カード挿入部２７が設けられた内壁２１ａに係合部としての開口縁部２１ｎを有し、カバー部材２３は、カバー部材２３が筐体本体部２１に取り付けられたときに開口縁部２１ｎに係合し、カバー部材２３の弾性変形によりカバー部材２３の内側面へ位置するほど開口縁部２１ｎに対する係合が弱くなるように構成されたスライド被係合部２３ｊと、スライド被係合部２３ｊが設けられた領域の外側面に形成された押圧目印部２３ｋとを有し、押圧目印部２３ｋは、第２カード挿入部２７に重畳しない位置に設けられていることから、カバー部材２３を取り外すときに第２カード挿入部２７付近に力が加えられることが防止され、第２カードＣ２が保護される。
【０１１４】
第２カード挿入部２７が設けられる内壁２１ａには、ガイド部２７ａに対してカバー部材２３に覆われる側とは反対側となる位置に、第１カード挿入部２５が設けられていることから、内壁２１ａに第２カード挿入部２７が開口することにより内壁２１ａの強度が低下しても、内壁２１ａはガイド部２７ａを介してバッテリ１７に支持されるから、内壁２１ａの強度が補償される。
【０１１５】
また、以上の実施形態によれば、第２の観点から、以下の効果が得られる。
【０１１６】
携帯電話機１は、バッテリ１７を収容するバッテリ収容部１９が形成された筐体本体部２１と、バッテリ収容部１９を覆うカバー部材２３とを有し、バッテリ収容部１９内には、バッテリ１７がバッテリ収容部１９に収容されたときに、バッテリ１７により隠れる領域に第１カード挿入部２５が、バッテリ１７により隠れない領域に第２カード挿入部２７がそれぞれ設けられており、第２カード挿入部２７は、バッテリ１７とともにカバー部材２３により覆い隠されることから、電源が入れられているときに抜き差しが行われることが好ましくない第１カードＣ１と、電源が入れられているときに抜き差しが行われてもよい第２カードＣ２との双方が好適に抜き差しされるとともに、第２カード挿入部２７のためのキャップが不要となり、部品点数の削減が図られる。
【０１１７】
第２カード挿入部２７は、バッテリ収容部１９の内壁の一つに設けられていることから、バッテリ収容部１９の底面に設けられている場合に比較して、例えば、バッテリ収容部１９が薄型のもの（内壁が低く、底面が広い形状）である場合には、携帯端末装置の薄型化に有利であり、バッテリ収容部１９が深いもの（内壁が高く、底面が狭い形状）である場合には、バッテリ収容部１９の奥深くまで挿入する必要がなく、抜き差しが容易である。
【０１１８】
第１カード挿入部２５は、第２カード挿入部２７が設けられた内壁２１ａのうち、バッテリ１７がバッテリ収容部１９に収容された状態にてバッテリ１７の厚みにより隠れる領域に設けられていることから、上述の第２カード挿入部２７が内壁２１ａに設けられることによる効果と同様の効果、すなわち、薄型化や着脱容易化の効果が得られる。さらに、第１カードＣ１及び第２カードＣ２が同一面に対して抜き差しされ、隣接して配置されるから、筐体全体として、構造の簡素化、着脱容易化及び小型化が図られる。
【０１１９】
携帯電話機１は、筐体本体部２１内に設けられたサブ基板４７と、第１カード挿入部２５に連続し、第１カード挿入部２５から挿入された第１カードＣ１が装着される第１カードホルダ４９と、第２カード挿入部２７に連続し、第２カード挿入部２７から挿入された第２カードＣ２が装着される第２カードホルダ５１とを有し、第１カードホルダ４９は、サブ基板４７の一方の面に実装され、第２カードホルダ５１は、サブ基板４７の他方の面に実装されていることから、第１カードＣ１及び第２カードＣ２を保持するための構造が全体として小型化されるとともに携帯電話機１の組み立ても容易化される。また、例えば、本実施形態のように、第１カードホルダと第２カードホルダとを積層し、且つ、本実施形態とは異なり、第１カード挿入部をバッテリ収容部内に、第２カード挿入部を筐体外部に開口させる場合には、第２カードホルダまで筐体外部側に設けなければならず、設計の自由度が低いが、本実施形態では、内壁２１ａに沿う位置であれば、適宜な位置に第２カードホルダ５１を配置することができ、設計の自由度が高くなる。
【０１２０】
第２カード挿入部２７には、カード挿入に対するガイドをなすガイド部２７ａがバッテリ収容部１９側に延長形成されており、ガイド部２７ａは、バッテリ収容部１９に収容されたバッテリ１７に対してカバー部材２３により覆われる側から係合可能であることから、上述のように、ガイド部２７ａがバッテリ１７の押えにも兼用されることになり、部材点数の削減や携帯電話機１の小型化が図られる。しかも、積層された第１カードホルダ４９及び第２カードホルダ５１に対してバッテリ１７が隣接して配置される構造となるから、全体として非常にコンパクト化されている。
【０１２１】
携帯電話機１は、第２カード挿入部２７が設けられた内壁２１ａからバッテリ収容部１９へ露出し、バッテリ１７に対して弾性当接してバッテリ１７から給電を受ける電池端子４３を有することから、バッテリ１７と電池端子４３とが確実に導通され、且つ、上述のガイド部２７ａによるバッテリ１７を押える作用により、バッテリ１７のバッテリ収容部１９への装着が容易化される。すなわち、バッテリ１７は、バッテリ収容部１９へ装着される際には、内壁２１ａ側の端部からバッテリ収容部１９へ嵌め込まれ、当該端部が電池端子４３に押し付けられてから、内壁２１ａとは反対側の端部がバッテリ収容部１９へ嵌め込まれるが、この際、電池端子４３の付勢力によりバッテリ１７の内壁２１ａ側の端部が浮き上がることがガイド部２７ａにより防止され、バッテリ１７が容易に装着される。
【０１２２】
カバー部材２３は、カバー部材２３の内側面から突出し、バッテリ１７のカバー部材２３側の面に当接可能であるとともに、第２カード挿入部２７に挿入された第２カードＣ２のバッテリ収容部１９側の端部に挿入方向に当接可能なリブ５３を有することから、第１カードＣ１の抜けはバッテリ１７により防止され、そのバッテリ１７の浮き上がり及び第２カードＣ２の抜けはカバー部材２３により防止されることになる。すなわち、カバー部材２３により第１カードＣ１及び第２カードＣ２の抜けが防止されることになり、携帯電話機１の小型化が図られる。
【０１２３】
携帯電話機１は、通信システム（電話網等）を介して他の携帯端末装置と通信を行う通信部（ＣＰＵ７１及び通信処理部７５）と、ユーザの操作を受け付ける操作部１１とを有し、第１カードＣ１は、ＣＰＵ７１に参照される、通信システムの加入者（電話番号）を特定可能な情報を記憶するカードであり、第２カードＣ２は、操作部１１への入力操作に応じて書き込み及び読み出しがなされるカードであることから、電源が投入された状態で抜き差しが行われることが好ましくないＳＩＭカード等や電源が投入された状態で抜き差しが行われることが好ましいＳＤカード等を好適に装着可能である。
【０１２４】
また、以上の実施形態によれば、第３の観点から、以下の効果が得られる。
【０１２５】
携帯電話機１は、バッテリ１７を収容するバッテリ収容部１９が形成された筐体本体部２１と、バッテリ収容部１９を覆うカバー部材２３と、筐体本体部２１内に設けられたメイン基板３３と、筐体本体部２１内に設けられ、第１カードＣ１が挿入される第１カードホルダ４９と、筐体本体部２１内に設けられ、メイン基板３３に固定され、第１カードホルダ４９を保持するフレーム部材３５とを有し、バッテリ収容部１９の内壁の一つである内壁２１ａには、第１カードホルダ４９に連続する第１カード挿入部２５が設けられており、フレーム部材３５は、第１カード挿入部２５に挿入されて内壁２１ａに係合する係合部３５ｃを有することから、第１カードホルダ４９を保持するフレーム部材３５を介してメイン基板３３の筐体本体部２１に対する変位が抑制される。一般に、筐体本体部２１の中央側にネジボスを形成したり、ネジを挿通したりして、メイン基板３３を筐体本体部２１に対して固定することは、筐体本体部２１の内部空間の確保や筐体表面のデザインの観点から困難である。しかし、比較的筐体本体部２１の中央側に設けられた内壁２１ａに対して、第１カード挿入部２５の開口を利用してメイン基板３３を筐体本体部２１に対して係合させることから、部品点数の増加、筐体本体部２１の内部空間の縮小、及び、筐体本体部２１表面のデザインの自由度低下等の不利益を招くことなく、メイン基板３３を筐体本体部２１に対して固定できる。その結果、例えば、携帯電話機１を落下させたときなど、携帯電話機１に衝撃が加えられたときに、メイン基板３３が位置ずれを起こしたり、撓んで破損したりすることが抑制される。特に、本実施形態では、メイン基板３３は、携帯電話機１の薄型化の観点から、第２領域部３ｂから第１領域部３ａに亘って設けられ、バッテリ収容部１９の底部を構成していることから、バッテリ１７の荷重によりリアケース３９から離間する方向へ撓みやすくなっているところ、メイン基板３３の中央においてリアケース３９からの離間が防止されることにより、薄型化による強度低下が補償され、薄型化及び強度保持の両立が図られる。
【０１２６】
第１カード挿入部２５は、バッテリ収容部１９の内壁のうちバッテリ１７がバッテリ収容部１９に収容されたときにバッテリ１７の厚みにより隠れる領域に設けられていることから、第１カード挿入部２５から筐体内部側への塵や水分の侵入はバッテリ１７により抑制される。従って、第１カード挿入部２５が、第１カードＣ１のみを挿入可能な大きさから、さらに係合部３５ｃを挿入可能な大きさに拡張されたとしても、塵や水分の侵入は防止される。
【０１２７】
携帯電話機１は、第１カード挿入部２５が設けられる内壁２１ａには、バッテリ１７により隠れない領域且つカバー部材２３により覆われる領域Ｓ２に、第２カード挿入部２７が設けられ、筐体本体部２１内には、第２カード挿入部２７から挿入された第２カードＣ２が装着される第２カードホルダ５１が設けられていることから、バッテリ収容部１９にバッテリ１７が収容された状態で、ＳＤカード等の第２カードＣ２の抜き差しが可能となる。そして、第１カード挿入部２５に挿入された係合部３５ｃはバッテリ１７に隠れており、第２カードＣ２を抜き差しするときに係合部３５ｃが視認されることはないから、係合部３５ｃによりデザイン性が低下することがない。
【０１２８】
筐体本体部２１内に設けられるサブ基板４７を有し、第１カードホルダ４９は、サブ基板４７の一方の面に実装されており、第２カードホルダ５１は、サブ基板４７の他方の面に実装されており、フレーム部材３５は、サブ基板４７を保持していることから、カード挿入に係る構造の小型化及び組み立ての容易化が図られるとともに、フレーム部材３５の内壁２１ａへの係合により、第１カードホルダ４９及び第２カードホルダ５１の第１カード挿入部２５及び第２カード挿入部２７への位置決めも確実になされ、ひいては、落下等の衝撃により、第１カードＣ１及び第２カードＣ２の抜き差しができなくなることが防止される
【０１２９】
第１カードＣ１が載置され、第１カードホルダ４９に対するスライド移動により第１カード挿入部２５に抜き差しされるスライド部材５９を有し、スライド部材５９は、第１カード挿入部２５を経由してバッテリ収容部１９にて露出される被操作部５９ｃを有し、被操作部５９ｃは、スライド方向において係合部３５ｃと重複する位置に形成されていることから、係合部３５ｃは、被操作部５９ｃが第１カード挿入部２５の奥深くに入り込んでしまうことを防止するストッパとしても機能し、構造の簡素化を図りつつ、第１カードＣ１の引き抜きの容易性を確保できる。
【０１３０】
携帯電話機１は、通信システム（電話網等）を介して他の携帯端末装置と通信を行う通信部（ＣＰＵ７１及び通信処理部７５）を有し、第１カードＣ１は、ＣＰＵ７１に参照される、通信システムの加入者（電話番号）を特定可能な情報を記憶するカードであることから、従来のＳＩＭカード等を抜き差しするための挿入部により携帯電話機１の強度を向上できる。
【０１３１】
本発明は、以上の実施形態に限定されず、種々の態様で実施されてよい。
【０１３２】
携帯端末装置は、携帯電話機に限定されない。例えば、ＰＤＡ、デジタルカメラ、ゲーム機であってもよい。筐体は、薄型直方体状のものに限定されず、適宜な形状のものであってもよい。また、筐体（第１筐体３又は筐体本体部２１）は、厚さの異なる２つの領域（第１領域部３ａ及び第２領域部３ｂ）を有するものに限定されず、一様な厚さのものであってもよい。
【０１３３】
カード挿入部は、バッテリ収容部の内壁に設けられるものに限定されない。また、バッテリにより隠れる第１カード挿入部は、バッテリの厚みにより隠れるものに限定されない。例えば、第１カード挿入部や第２カード挿入部は、バッテリ収容部の底部に設けられてもよい。ただし、第１カード挿入部及び第２カード挿入部が、バッテリ収容部の内壁に設けられていれば、第１カード挿入部と第２カード挿入部とを積層的に設けて携帯端末装置の小型化や薄型化を図ることが容易である等のメリットがある。
【０１３４】
バッテリは、薄型直方体状のものに限定されず、また、バッテリ収容部は、内壁が低く、底部が広いものに限定されない。なお、カード挿入部がバッテリの厚みにより隠れる場合における厚みは、バッテリの、バッテリ収容部の深さ方向（内壁の高さ方向）における厚みを指し、バッテリが薄型直方体等である場合における、バッテリの長手方向、短手方向及び厚さ方向のうちの厚さ方向の厚みを指すものではない。
【０１３５】
カードは、メモリ機能のみを有するもの、ＣＰＵが搭載されたもの、ロジック付きのもの（アクセス制御機能を有するものなど）など、適宜なものであってよい。カードの配置姿勢は、カバー部材に覆われる側に面する配置姿勢に限定されない。換言すれば、カード挿入部は、カバー部材に沿う方向を長手方向として開口するものに限定されない。例えば、カードの配置姿勢は、カバー部材に対して直交するものであってもよい。ただし、カードの配置姿勢が、カバー部材に覆われる側に面するものであるほうが、内壁を低くして筐体を薄型化するのに有利である。
【０１３６】
カード挿入に対するガイドをなすガイド部（２７ａ）は、適宜な形状に形成されてよく、カードの筐体内部側の面及び側方に当接するものに限定されない。例えば、実施形態において、側方ガイド部２７ｂ及び内側ガイド部２７ｃのいずれか一方のみが設けられていてもよい。また、カバー部材の内側面は適宜な形状に形成されてよく、リブ（５３）は必須の要件ではない。リブが設けられる場合には、リブの形状は適宜な形状とされてよい。
【０１３７】
押圧目印部は、カバー部材の外側面から突出する突部に限定されない。例えば、押圧目印部は、凹部であってもよいし、カバー部材に貼付されたシール等の模様であってもよい。ただし、突部であれば、カバー部材を面に沿ってスライドさせるように力を入れることが容易である。
【０１３８】
カバー部材の押圧目印部により係合が弱められる被係合部（２３ｊ）は、カバー部材の外側面に突出する突部を有するものに限定されない。例えば、カバー部材の被係合部に穴部が設けられ、筐体（筐体本体部）にその穴部にカバー部材の外側面側から内側面側へ挿入されて係合する係合部が設けられてもよい。
【０１３９】
フレーム部材が係合するカード挿入部は、バッテリにより隠されるものに限定されず、バッテリにより隠されないものであってもよい。例えば、実施形態において、フレーム部材は、第２カード挿入部２７に係合されてもよい。
【０１４０】
電池端子は、実施形態に例示したものに限定されず、スプリングピンやバネ端子等の適宜なものにより構成されてよい。
【０１４１】
通信システムは、電話網に限定されない。例えば、インターネットでもよい。また、通信システムは、事業者により運営されるものやサーバを介して行われるものに限定されず、携帯端末装置同士で直接的に通信を行うものであってもよい。
【図面の簡単な説明】
【０１４２】
【図１】本発明の実施形態に係る携帯電話機の外観を示す開状態で示す正面図及び側面図。
【図２】図１の携帯電話機を閉状態で示す背面図。
【図３】図１の携帯電話機をカバー部材及びバッテリを取り外した状態で示す斜視図。
【図４】図１の携帯電話機をカバー部材を取り外した状態で示す斜視図。
【図５】図１の携帯電話機の分解斜視図。
【図６】図１の携帯電話機のフレーム部材を示す斜視図。
【図７】図１の携帯電話機のサブ基板アセンブリを示す斜視図。
【図８】図１の携帯電話機のカバー部材の内側面を示す斜視図。
【図９】図８のカバー部材の一部拡大図。
【図１０】図１の携帯電話機の筐体本体部及びカバー部材の一部を拡大して示す斜視図。
【図１１】図１０のＸＩ−ＸＩ線における断面を示す斜視図。
【図１２】図１０のＸＩ−ＸＩ線及びＸＩＩｂ−ＸＩＩｂ線における断面図。
【図１３】図１の携帯電話機のバッテリ収容部内部の一部を拡大して示す斜視図。
【図１４】図１３のＸＩＶ−ＸＩＶ線における断面図。
【図１５】図１の携帯電話機の信号処理系の構成を示すブロック図。
【図１６】比較例の携帯電話機の断面図。
【符号の説明】
【０１４３】
１…携帯電話機（携帯端末装置）、１７…バッテリ、１９…バッテリ収容部、２１…筐体本体部（筐体）、２１ａ…内壁、２３…カバー部材、２５…第１カード挿入部、２７…第２カード挿入部、２７ａ…ガイド部、３３…メイン基板、３５ｃ…係合部、３５…フレーム部材、４９…第１カードホルダ、５１…第２カードホルダ、Ｃ１…第１カード、Ｃ２…第２カード。
【図１】
0005301138.tif 000002
【図２】
0005301138.tif 000003
【図３】
0005301138.tif 000004
【図４】
0005301138.tif 000005
【図５】
0005301138.tif 000006
【図６】
0005301138.tif 000007
【図７】
0005301138.tif 000008
【図８】
0005301138.tif 000009
【図９】
0005301138.tif 000010
【図１０】
0005301138.tif 000011
【図１１】
0005301138.tif 000012
【図１２】
0005301138.tif 000013
【図１３】
0005301138.tif 000014
【図１４】
0005301138.tif 000015
【図１５】
0005301138.tif 000016
【図１６】
0005301138.tif 000017